(57)【要約】【課題】冷暖房システムについてのメンテナンスや部品の交換が容易な建物を提供する。【解決手段】木造家屋１は、エアコン室８に外気を取り込むと共に、ＬＤＫ２や洋室９〜１１等を通った空気を戸外に排出する全熱交換器６５と、エアコン室８に設置され、エアコン室８に冷暖気を供給するエアコンの室内機３１と、エアコン室８に設置され、エアコン室８の空気を吸い込む送風ファン３５〜４２と、送風ファン３５〜４２が吸い込んだ空気を、ＬＤＫ２等の床下空間１９や洋室９〜１１等の床下の階間空間２０に送るダクト４３〜５０と、床下空間１９や階間空間２０の空気をＬＤＫ２や洋室９〜１１等に通す通気口２３〜２５，５３，５６，６０等と、ＬＤＫ２や洋室９〜１１等を通った空気をエアコン室８に通す通気口３３と、を備えている。【選択図】図１
2017211175.tif 000002
【特許請求の範囲】
【請求項１】
第１室に外気を取り込む換気用取込手段と、
前記第１室に設置され、前記第１室に冷暖気を供給するエアコンの室内機と、
前記第１室に設置され、前記第１室の空気を吸い込む吸気手段と、
前記吸気手段が吸い込んだ空気を第２室の床下に送るダクトと、
前記第２室の床下の空気を前記第２室に通す第１通気手段と、
前記第２室を通った空気を前記第１室に通す第２通気手段と、
前記第２室を通った空気を戸外に排出する換気用排気手段と、を備えていることを特徴とする
建物。
【請求項２】
前記第１室に設置され、前記第１室内を加湿する加湿器を備えていることを特徴とする
請求項１に記載の建物。
【請求項３】
前記第１室は、前記エアコンの室内機を設置することを目的とする非居住空間であることを特徴とする
請求項１又は２に記載の建物。
【請求項４】
前記ダクトの一端は、前記第１通気手段と非接続の状態であり、前記第１通気手段から１ｍ以内に位置することを特徴とする
請求項１〜３のいずれかに記載の建物。
【請求項５】
２階建て以上に構成された建物であって、
前記第１室は、上層階の上層第１室と、前記上層第１室の真下で前記上層第１室と共に１つの空間を構成する下層階の下層第１室と、からなり、
前記エアコンの室内機は、前記上層第１室及び前記下層第１室の一方に設置され、
前記吸気手段は、前記上層第１室及び前記下層第１室の他方に設置されていることを特徴とする
請求項１〜４のいずれかに記載の建物。
【発明の詳細な説明】
【技術分野】
【０００１】
本発明は、冷暖房システムを備えている建物に関する。
【背景技術】
【０００２】
特許文献１には、床下に設けられた供給機の調温空気（冷暖気）を、壁裏を介して小屋裏まで流通させると共に、小屋裏から壁裏に設けられたダクト等を介して、小屋裏の空気を供給機に回収する空気循環式建物が開示されている。この空気循環式建物は、循環空気に部屋内の汚れた空気を混入させないことで、メンテナンスの頻度を少なくしている。
【先行技術文献】
【特許文献】
【０００３】
【特許文献１】特開２００８−０７００８４号公報
【発明の概要】
【発明が解決しようとする課題】
【０００４】
上記の空気循環式建物では、調和空気（冷暖気）の供給機を床下に設ける必要があり、冷暖房システムのメンテナンスや部品の交換が容易ではない。また、建物は理想通りの気密が取れないものであるが、上記の空気循環式建物はこの点が考慮されていない。
【０００５】
本発明は、上記課題を鑑みてなされたものであり、冷暖房システムについてのメンテナンスや部品の交換が容易な建物を提供することを目的とする。
【課題を解決するための手段】
【０００６】
（１）本発明は、第１室に外気を取り込む換気用取込手段と、前記第１室に設置され、前記第１室に冷暖気を供給するエアコンの室内機と、前記第１室に設置され、前記第１室の空気を吸い込む吸気手段と、前記吸気手段が吸い込んだ空気を第２室の床下に送るダクトと、前記第２室の床下の空気を前記第２室に通す第１通気手段と、前記第２室を通った空気を前記第１室に通す第２通気手段と、前記第２室を通った空気を戸外に排出する換気用排気手段と、を備えていることを特徴とする建物である。
【０００７】
本発明の建物によれば、冷暖気を供給するエアコンの室内機と、第１室の空気を吸い込む吸気手段と、が冷暖房システムの中枢として機能し、これらエアコンの室内機と吸気手段が第１室に設置されているので、冷暖房システムについてのメンテナンスや部品の交換が容易となる。
【０００８】
そして、換気用取込手段が外気を取り込む第１室に、エアコンの室内機が冷暖気を供給することで、エアコンの室内機によって供給される冷暖気が外気と混合して外気による影響を抑えるので、法律で義務付けられている２４時間換気システムを設置している場合であっても、建物内を適切な気温に保つことができる。
【０００９】
また、第２室を通った空気を換気用排気手段によって戸外に排出するので、法律で義務付けられている２４時間換気システムを設置している場合であっても、室内の冷暖熱を換気によって無駄に放出することはなく、建物内を適切な気温に保つことができる。
【００１０】
さらに、冷暖気が第２室の床下を通った後に第２室に供給されるので、床冷房及び床暖房の効果もある。
【００１１】
（２）本発明はまた、前記第１室に設置され、前記第１室内を加湿する加湿器を備えていることを特講とする上記（１）に記載の建物である。
【００１２】
上記発明の建物によれば、冷暖気を供給するエアコンの室内機と、第１室の空気を吸い込む吸気手段と、第１室内を加湿する加湿器と、が冷暖房システムの中枢として機能し、これらエアコンの室内機と吸気手段と加湿器が第１室に設置されているので、冷暖房システムについてのメンテナンスや部品の交換が容易となる。
【００１３】
そして、換気用取込手段が外気を取り込む第１室内を、加湿器が加湿をするので、冬場等、外気が乾燥している時期であっても外気による影響を抑えるので、建物内を適切な湿度に保つことができる。
【００１４】
（３）本発明はまた、前記第１室は、エアコンの室内機を設置することを目的とする非居住空間であることを特徴とする上記（１）又は（２）に記載の建物である。
【００１５】
上記発明の建物によれば、換気用取込手段によって取り込まれる外気と、エアコンの室内機によって供給される冷暖気と、を混合する第１室が非居住空間であるので、家具が設置されたり人が移動したりする居住空間と比較して、外気と冷暖気とを理想通りにムラなく混合することができる。これにより、２４時間換気システムを設置している場合であっても、より確実に建物内を適切な気温に保つことができる。
【００１６】
そして、換気用取込手段によって取り込まれる外気と、エアコンの室内機によって供給される冷暖気と、を混合する第１室が非居住空間であるので、居住空間と比較して省スペース化することができる。このように、空調を行う必要のない第１室を省スペース化することができるので、第１室の広さをほとんど考慮せずに、空調を行いたい第２室の広さに応じてエアコンの能力を設定することができる。このため、エアコンの能力を無駄に高める必要がない。
【００１７】
（４）本発明はまた、前記ダクトの一端は、前記第１通気手段と非接続の状態であり、前記第１通気手段から１ｍ以内に位置することを特徴とする上記（１）〜（３）のいずれかに記載の建物である。
【００１８】
上記発明の建物によれば、理想通りの気密が取ることができていない場合であっても、ダクトから送られる空気を、床下に拡散させつつ、第２室の室内に確実に供給することができる。
【００１９】
（５）本発明はまた、２階建て以上に構成された建物であって、前記第１室は、上層階の上層第１室と、前記上層第１室の真下で前記上層第１室と共に１つの空間を構成する下層階の下層第１室と、からなり、前記エアコンの室内機は、前記上層第１室及び前記下層第１室の一方に設置され、前記吸気手段は、前記上層第１室及び前記下層第１室の他方に設置されていることを特徴とする上記（１）〜（４）のいずれかに記載の建物である。
【００２０】
上記発明の建物によれば、エアコンの室内機及び吸気手段をコンパクトに設置することができる。このため、無駄な空間を少なくして居住空間を最大限に確保することができる。
【発明の効果】
【００２１】
本発明の上記（１）〜（５）に記載の建物によれば、冷暖房システムについてのメンテナンスや部品の交換が容易となる。
【図面の簡単な説明】
【００２２】
【図１】本発明の第１実施形態に係る木造家屋の縦断面図である。
【図２】図１に示す木造家屋の１階の平面図である。
【図３】図１に示す木造家屋の２階の平面図である。
【図４】図１に示すエアコン室の縦断面図である。
【図５】本発明の第２実施形態に係る木造家屋の縦断面図である。
【図６】図５に示す木造家屋の１階の平面図である。
【図７】図５に示す木造家屋の２階の平面図である。
【図８】図５に示すエアコン室の縦断面図である。
【発明を実施するための形態】
【００２３】
以下、図面を参照して、本発明の実施形態に係る木造家屋１，１００について詳細に説明する。
【００２４】
［第１実施形態］まず、図１〜図４を用いて、第１実施形態に係る木造家屋１の構成について説明する。図１は、木造家屋１の縦断面図である。図２は、木造家屋１の１階の平面図である。図３は、木造家屋１の２階の平面図である。図４は、エアコン室８の縦断面図である。なお、各図において、一部の構成を適宜省略して、図面を簡略化する。
【００２５】
図１〜図４に示す木造家屋１は、２階建てに構成された高気密・高断熱な躯体性能を有する住宅であり、建築基準法に基づいて２４時間換気システムを導入していると共に、１台の高効率エアコンで快適に全館空調するシステムを導入している建物である。
【００２６】
具体的に、木造家屋１は、１階に、ＬＤＫ（リビング−ダイニング−キッチン）２と、玄関３と、廊下４と、トイレ５と、洗面所６と、バスルーム７と、エアコン室８の下層階部分８１等を備えている。
【００２７】
そして、木造家屋１は、２階に、洋室９，１０，１１と、納戸１２と、廊下１３と、ウォークインクローゼット１４と、クローゼット１５と、ウォークインクローゼット１６と、エアコン室８の上層階部分８２と、バルコニー１７等を備えている。
【００２８】
また、木造家屋１は、１階から２階に掛けて階段１８を備えている。さらに、木造家屋１は、１階の床下に床下空間１９を備え、２階の床下に階間空間２０を備えている。
【００２９】
ＬＤＫ（第２室）２は、扉２１を介して廊下４に隣接していると共に、扉２２を介してエアコン室８の下層階部分８１に隣接している。また、ＬＤＫ２は、複数の扉（符号省略）や窓（符号省略）を介して戸外と連続している。このＬＤＫ２は、床に設けられている通気口２３，２４，２５を介して床下空間１９に繋がっている。通気口２３，２４，２５は、ＬＤＫ２の床下に備えられている床下空間１９の空気をＬＤＫ２の室内に通す第１通気手段として機能している。
【００３０】
玄関３は、扉（符号省略）を介して戸外と連続している。
【００３１】
廊下４は、玄関３と階段１８と各部屋とを繋いでいる。また、廊下４は、窓（符号省略）を介して戸外と連続している。この廊下４は、床に設けられている通気口２６を介して床下空間１９に繋がっている。通気口２６は、廊下４の床下に備えられている床下空間１９の空気を廊下４内に通す。
【００３２】
トイレ５は、扉２７を介して廊下４に隣接している。このトイレ５は、窓（符号省略）を介して戸外と連続している。
【００３３】
洗面所（第２室）６は、扉２８を介して廊下４に隣接していると共に、扉２９を介してバスルーム７に隣接している。また、洗面所６は、窓（符号省略）を介して戸外と連続している。この洗面所６は、床に設けられている通気口３０を介して床下空間１９に繋がっている。通気口３０は、洗面所６の床下に備えられている床下空間１９の空気を洗面所６内に通す第１通気手段として機能している。
【００３４】
バスルーム７は、扉２９を介して洗面所６に隣接している。このバスルームは、窓（符号省略）を介して戸外と連続している。
【００３５】
エアコン室（第１室）８は、上層階である２階の上層階部分（上層第１室）８２と、下層階である１階の下層階部分（下層第１室）８１と、からなり、上層階部分８２と下層階部分８１とが上下に一体となって１つの空間を構成している。このエアコン室８は、エアコンの室内機３１を設置することを目的とする非居住空間である。なお、図４における符号７１は、エアコンの室外機を示している。
【００３６】
エアコン室８における上層階部分８２の洋室１０側の壁には、エアコンの室内機３１が設置されている。エアコンの室内機３１は、エアコン室８に冷暖気を供給する。
【００３７】
エアコン室８の上層階部分８２は、扉３２を介して洋室１１に隣接している。このエアコン室８は、廊下１３側の壁に設けられている通気口３３を介して、廊下１３に繋がっている。通気口３３は、ＬＤＫ２、洗面所６、洋室９，１０，１１などを通った空気を廊下１３からエアコン室８に通す第２通気手段として機能している。
【００３８】
エアコン室８における上層階部分８２のクローゼット１５側の壁には、エアコン室８に外気を取り込む換気口３４が設けられている。換気口３４は、クローゼット１５内に設置されている全熱交換器６５にダクト６７で接続されている。換気口３４からエアコン室８内には、外気が流入する。
【００３９】
エアコン室８における下層階部分８１には、複数（本実施形態では、８個）の送風ファン３５，３６，３７，３８，３９，４０，４１，４２が１列に積まれるように設置されている。これら複数の送風ファン３５，３６，３７，３８，３９，４０，４１，４２には、パナソニック株式会社（大阪府門真市）が市販する換気扇（型番：ＦＹ−２７ＪＤ７）などを採用することができる。
【００４０】
複数の送風ファン３５，３６，３７，３８，３９，４０，４１，４２は、それぞれ、ダクト４３，４４，４５，４６，４７，４８，４９，５０の基端に接続されている。これら複数の送風ファン３５，３６，３７，３８，３９，４０，４１，４２は、エアコン室８の空気を吸い込む吸気手段として機能する。
【００４１】
複数のダクト４３，４４，４５，４６は、それぞれ、エアコン室８における下層階部分８１から、下層階部分８１の床に設けられている挿通孔（図示省略）を介して、床下空間１９に延ばされるように配置されている。複数のダクト４７，４８，４９，５０は、それぞれ、エアコン室８における下層階部分８１から、階間空間２０に延ばされるように配置されている。
【００４２】
送風ファン３５から延びるダクト４３の先端は、ＬＤＫ２の床に設けられている通気口２３に接続されていない非接続の状態であり、通気口２３から１ｍ以内に位置する。送風ファン３６から延びるダクト４４の先端は、ＬＤＫ２の床に設けられている通気口２４に接続されていない非接続の状態であり、通気口２４から１ｍ以内に位置する。送風ファン３７から延びるダクト４５の先端は、ＬＤＫ２の床に設けられている通気口２５に接続されていない非接続の状態であり、通気口２５から１ｍ以内に位置する。ダクト４３，４４，４５は、送風ファン３５，３６，３７が吸い込んだ空気を、ＬＤＫ２の床下に備えられている床下空間１９に送る。
【００４３】
送風ファン３８から延びるダクト４６は、二つに枝分かれしている。ダクト４６の一方の先端は、廊下４の床に設けられている通気口２６に接続されていない非接続の状態であり、通気口２６から１ｍ以内に位置する。ダクト４６の他方の先端は、洗面所６の床に設けられている通気口３０に接続されていない非接続の状態であり、通気口３０から１ｍ以内に位置する。ダクト４６は、送風ファン３８が吸い込んだ空気を、廊下４及び洗面所６の床下に備えられている床下空間１９に送る。
【００４４】
送風ファン３９から延びるダクト４７の先端は、洋室９の床に設けられている通気口５３に接続されていない非接続の状態であり、通気口５３から１ｍ以内に位置する。ダクト４７は、送風ファン３９が吸い込んだ空気を、洋室９の床下に備えられている階間空間２０に送る。
【００４５】
送風ファン４０から延びるダクト４８の先端は、洋室１０の床に設けられている通気口５６に接続されていない非接続の状態であり、通気口５６から１ｍ以内に位置する。ダクト４８は、送風ファン４０が吸い込んだ空気を、洋室１０の床下に備えられている階間空間２０に送る。
【００４６】
送風ファン４１から延びるダクト４９の先端は、洋室１１の床に設けられている通気口６０に接続されていない非接続の状態であり、通気口６０から１ｍ以内に位置する。ダクト４９は、送風ファン４１が吸い込んだ空気を、洋室１１の床下に備えられている階間空間２０に送る。
【００４７】
送風ファン４２から延びるダクト５０は、二つに枝分かれしている。ダクト５０の一方の先端は、廊下１３の床に設けられている通気口６２に接続されていない非接続の状態であり、通気口６２から１ｍ以内に位置する。ダクト５０の他方の先端は、ウォークインクローゼット１６の床に設けられている通気口７０に接続されていない非接続の状態であり、通気口７０から１ｍ以内に位置する。ダクト５０は、送風ファン４２が吸い込んだ空気を、廊下１３及びウォークインクローゼット１６の床下に備えられている階間空間２０に送る。
【００４８】
洋室（第２室）９は、扉５１を介して廊下１３に隣接していると共に、扉５２を介してウォークインクローゼット１４に隣接している。また、洋室９は、扉９ａを介してバルコニー１７に隣接している。この洋室９は、床に設けられている通気口５３を介して階間空間２０に繋がっている。通気口５３は、洋室９の床下に備えられている階間空間２０の空気を洋室９に通す第１通気手段として機能している。
【００４９】
洋室（第２室）１０は、扉５４を介して廊下１３に隣接していると共に、扉５５を介してクローゼット１５に隣接している。また、洋室１０は、扉１０ａを介してバルコニー１７に隣接している。この洋室１０は、床に設けられている通気口５６を介して階間空間２０に繋がっている。通気口５６は、洋室１０の床下に備えられている階間空間２０の空気を洋室１０に通す第１通気手段として機能している。
【００５０】
洋室（第２室）１１は、扉５７を介して廊下１３に隣接していると共に、扉５８を介してウォークインクローゼット１６に隣接している。そして、洋室１１は、扉５９を介してエアコン室８の上層階部分８２に隣接している。また、洋室１１は、扉１１ａを介してバルコニー１７に隣接している。この洋室１１は、床に設けられている通気口６０を介して階間空間２０に繋がっている。通気口６０は、洋室１１の床下に備えられている階間空間２０の空気を洋室１１に通す第１通気手段として機能している。
【００５１】
納戸１２は、扉６１を介して廊下１３に隣接している。この納戸１２は、窓（符号省略）を介して戸外に連続している。
【００５２】
廊下１３は、階段１８と各部屋とを繋いでいる。また、廊下１３は、窓（符号省略）を介して戸外に連続している。この廊下１３は、床に設けられている通気口６２を介して階間空間２０に繋がっている。通気口６２は、廊下１３の床下に備えられている階間空間２０の空気を廊下１３内に通す。
【００５３】
また、廊下１３は、エアコン室８との間の壁に設けられている通気口３３を介して、エアコン室８に繋がっている。通気口３３付近の廊下１３の天井には、ＬＤＫ２、洗面所６、洋室９，１０，１１などを通った空気を戸外に排出する換気口６３が設けられている。換気口６３は、クローゼット１５内に設置されている全熱交換器６５にダクト６９で接続されている。廊下１３からは、換気口６３に空気が流入する。
【００５４】
ウォークインクローゼット１４は、扉５２を介して洋室９に隣接している。
【００５５】
クローゼット１５は、扉５５を介して洋室１０に隣接している。クローゼット１５の天井には、天吊ボルト６４などによって、全熱交換器６５が吊り下げられるように設置されている。全熱交換器６５は、エアコン室８に外気を取り込む換気用取込手段として機能すると共に、ＬＤＫ２や洋室９〜１１等を通った空気を戸外に排出する換気用排気手段として機能することで、木造家屋１の２４時間換気システムを実現する。この全熱交換器６５には、ダイキン工業株式会社（大阪府大阪市）が市販する全熱交換器ユニットベンティエール（登録商標）などを採用することができる。
【００５６】
全熱交換器６５には、吸気用のダクト６６，６７と、排気用のダクト６８，６９と、が接続されている。一方の吸気用のダクト６６は、全熱交換器６５から延びて外壁を貫通している。他方の吸気用のダクト６７は、全熱交換器６５から延びてエアコン室８との間の壁を貫通し、換気口３４に接続されている。一方の排気用のダクト６８は、全熱交換器６５から延びて外壁を貫通している。他方の排気用のダクト６９は、全熱交換器６５から延びてクローゼット１５の天井を貫通していると共に、屋根裏を通ってから廊下１３の天井を貫通し、換気口６３に接続されている。
【００５７】
ウォークインクローゼット１６は、扉５８を介して洋室１１に隣接している。このウォークインクローゼット１６は、床に設けられている通気口７０を介して階間空間２０に繋がっている。通気口７０は、ウォークインクローゼット１６の床下に備えられている階間空間２０の空気をウォークインクローゼット１６内に通す。
【００５８】
バルコニー１７は、扉９ａや窓（符号省略）を介して洋室９に隣接していると共に、扉１０ａや窓（符号省略）を介して洋室１０に隣接している。また、バルコニー１７は、扉１１ａや窓（符号省略）を介して洋室１１に隣接している。
【００５９】
階段１８は、１階の廊下４と２階の廊下１４とを繋ぐ。この階段１８は、窓（符号省略）を介して戸外に連続している。
【００６０】
床下空間１９は、冷暖気を一時的に蓄えるバッファとして機能する。この床下空間１９は、通気口２３，２４，２５を介してＬＤＫ２の室内に繋がっている。また、床下空間１９は、通気口２６を介して廊下４内に繋がっていると共に、通気口３０を介して洗面所６内に繋がっている。
【００６１】
階間空間２０は、冷暖気を一時的に蓄えるバッファとして機能する。この階間空間２０は、通気口５３を介して洋室９に繋がっている。また、階間空間２０は、通気口５６を介して洋室１０に繋がっていると共に、通気口６０を介して洋室１１に繋がっている。さらに、階間空間２０は通気口６２を介して廊下１３内に繋がっていると共に、通気口７０を介してウォークインクローゼット１６内に繋がっている。
【００６２】
次に、木造家屋１における冷暖気の流れを説明する。
【００６３】
エアコンの室内機３１から供給された冷暖気は、全熱交換器６５が取り込んだ外気と、エアコン室８内で混合される。エアコンの室内機３１から供給された冷暖気によって空調されたエアコン室８内の空気は、複数の送風ファン３５〜４２に吸い込まれ、ダクト４３〜５０を介して床下空間１９及び階間空間２０に送られる。
【００６４】
１階の床下である床下空間１９の空気は、通気口２３，２４，２５を介してＬＤＫ２に送られる。また、床下空間１９の空気は、通気口２６を介して廊下４内に送られると共に、通気口３０を介して洗面所６内に送られる。ＬＤＫ２や洗面所６内の空気は、扉２１，２８の開放時に廊下４内に送られる。１階の廊下４内の空気は、階段１８を通って２階の廊下１３内に送られる。
【００６５】
２階の床下である階間空間２０の空気は、通気口５３を介して洋室９に送られる。また、階間空間２０の空気は、通気口５６を介して洋室１０に送られると共に、通気口６０を介して洋室１１に送られる。さらに、階間空間２０の空気は、通気口６２を介して廊下１３内に送られると共に、通気口７０を介してウォークインクローゼット１６内に送られる。ウォークインクローゼット１６内の空気は、扉５８の開放時に洋室１１に送られる。洋室９，１０，１１の空気は、扉５１，５４，５７の開放時に廊下１３内に送られる。廊下１３内の空気は、換気口６３を介して戸外に排出されると共に、通気口３３を介してエアコン室８に送られる。
【００６６】
このように、木造家屋１によれば、冷暖気を供給するエアコンの室内機３１と、エアコン室８の空気を吸い込む送風ファン３５〜４２と、が冷暖房システムの中枢として機能し、これらエアコンの室内機３１と送風ファン３５〜４２がエアコン室８に設置されているので、冷暖房システムについてのメンテナンスや部品の交換が容易となる。
【００６７】
そして、全熱交換器６５が外気を取り込むエアコン室８に、エアコンの室内機３１が冷暖気を供給することで、エアコンの室内機３１によって供給される冷暖気が外気と混合して外気による影響を抑えるので、法律で義務付けられている２４時間換気システムを設置している場合であっても、木造家屋１内を適切な気温に保つことができる。
【００６８】
また、ＬＤＫ２や洋室９〜１１等を通った空気を全熱交換器６５によって戸外に排出するので、法律で義務付けられている２４時間換気システムを設置している場合であっても、室内の冷暖熱を換気によって無駄に放出することはなく、木造家屋１内を適切な気温に保つことができる。
【００６９】
さらに、冷暖気がＬＤＫ２等の床下に備えられている床下空間１９や、洋室９〜１１等の床下に備えられている階間空間２０を通った後に、ＬＤＫ２や洋室９〜１１等に供給されるので、床冷房及び床暖房の効果もある。
【００７０】
そして、木造家屋１によれば、全熱交換器６５によって取り込まれる外気と、エアコンの室内機３１によって供給される冷暖気と、を混合するエアコン室８が非居住空間であるので、家具が設置されたり人が移動したりする居住空間と比較して、外気と冷暖気とを理想通りにムラなく混合することができる。これにより、２４時間換気システムを設置している場合であっても、より確実に木造家屋１内を適切な気温に保つことができる。
【００７１】
また、全熱交換器６５によって取り込まれる外気と、エアコンの室内機３１によって供給される冷暖気と、を混合するエアコン室８が非居住空間であるので、居住空間と比較して省スペース化することができる。このように、空調を行う必要のないエアコン室８を省スペース化することができるので、エアコン室８の広さをほとんど考慮せずに、空調を行いたいＬＤＫ２や洋室９〜１１等の広さに応じてエアコンの能力を設定することができる。このため、エアコンの能力を無駄に高める必要がない。
【００７２】
さらに、木造家屋１によれば、ダクト４３〜５０の先端が、通気口２３，２４，２５，３０，５３，５６，６０等と非接続の状態であり、通気口２３，２４，２５，３０，５３，５６，６０等から１ｍ以内に位置しているので、理想通りの気密が取ることができていない場合であっても、ダクト４３〜５０から送られる空気を、床下空間１９や階間空間２０に拡散させつつ、ＬＤＫ２や洋室９〜１１の室内に確実に供給することができる。
【００７３】
そして、木造家屋１によれば、エアコンの室内機３１がエアコン室８の上層階部分８２に設置され、送風ファン３５〜４２がエアコン室８の下層階部分８１に設置されているので、エアコンの室内機３１及び送風ファン３５〜４２をコンパクトに設置することができる。このため、無駄な空間を少なくして居住空間を最大限に確保することができる。
【００７４】
［第２実施形態］次に、図５〜図８を用いて、第２実施形態に係る木造家屋１００の構成について説明する。図５は、木造家屋１００の縦断面図である。図６は、木造家屋１００の１階の平面図である。図７は、木造家屋１００の２階の平面図である。図８は、エアコン室８の縦断面図である。なお、第１実施形態と同様の構成、作用（空気の流れ）及び効果についての説明は適宜省略する。
【００７５】
図５〜図８に示す木造家屋１００は、第１実施形態に係る木造家屋１（図１〜図４参照）を変形した態様である。木造家屋１００は、木造家屋１と同様の基本構造を有しており、更に、エアコン室８における下層階部分８１に加湿器１０１が設置されている。
【００７６】
加湿器１０１は、エアコン室８内を加湿し、ひいては木造家屋１００内全体を加湿する。このような加湿器１０１には、気化式、水噴霧式、蒸気式などのいずれの種類のものを採用することができる。
【００７７】
次に、木造家屋１００における暖気の流れを説明する。なお、ここでは冬場等に暖房を使用する場合を例に説明するが、夏場等に冷房を使用する場合にも適用することは可能である。
【００７８】
エアコンの室内機３１から供給された暖気は、全熱交換器６５が取り込んだ外気と、エアコン室８内で混合される。エアコンの室内機３１から供給された暖気によって温度調整されてから加湿器１０１によって加湿されたエアコン室８内の空気は、複数の送風ファン３５〜４２に吸いこまれ、ダクト４３〜５０を介して床下空間１９及び階間空間２０に送られる。なお、床下空間１９及び階間空間２０に送られた後の暖気の流れは、第１実施形態に係る木造家屋１と同様であり、ここでの説明は割愛する。
【００７９】
このように、木造家屋１００によれば、冷暖気を供給するエアコンの室内機３１と、エアコン室８の空気を吸い込む送風ファン３５〜４２と、エアコン室８内を加湿する加湿器１０１と、が冷暖房システムの中枢として機能し、これらエアコンの室内機３１と送風ファン３５〜４２と加湿器１０１がエアコン室８に設置されているので、冷暖房システムについてのメンテナンスや部品の交換が容易となる。
【００８０】
そして、全熱交換器６５が外気を取り込むエアコン室８内を、加湿器１０１が加湿をするので、冬場等、外気が乾燥している時期であっても外気による影響を抑えるので、木造家屋１００内を適切な湿度に保つことができる。
【００８１】
本発明は、上記各実施形態に限られるものではなく、その趣旨及び技術思想を逸脱しない範囲で種々の変形が可能である。すなわち、各構成の位置、大きさ、長さ、数量、形状、材質などは適宜変更できる。
【００８２】
すなわち、上記各実施形態において、木造の建物（木造家屋１，１００）の場合を好例として説明したが、本発明はこれに限定されるものではなく、鉄骨造やＲＣ（鉄筋コンクリート）造など、あらゆる造りの建物であってもよい。
【００８３】
あるいは、上記各実施形態において、人が住むための建物（木造家屋１，１００）の場合を好例として説明したが、本発明はこれに限定されるものではなく、オフィスや官公庁施設など、あらゆる用途の建物であってもよい。
【００８４】
あるいは、上記各実施形態において、送風ファン３５〜４２から延びるダクト４３〜５０の先端が、ＬＤＫ２、廊下４、洗面所６、洋室９〜１１、廊下１３及びウォークインクローゼット１６の床に設けられている通気口２３〜２６，３０，５３，５６，６０，６２，７０から１ｍ以内に位置する場合を好例として説明したが、本発明はこれに限定されるものではない。
【００８５】
あるいは、上記各実施形態において、２階建てに構成された建物（木造家屋１，１００）の場合を好例として説明したが、本発明はこれに限定されるものではなく、平屋建てや、３階建て以上に構成された建物であってもよい。ただし、２階建て以上に構成された建物であれば、エアコンの室内機３１及び送風ファン３５をコンパクトに設置することができる。このため、無駄な空間を少なくして居住空間を最大限に確保することができる。
【００８６】
あるいは、上記各実施形態において、エアコンの室内機３１がエアコン室８の上層階部分８２に設置されていると共に、送風ファン３５〜４２がエアコン室８の下層階部分８１に設置されている場合を例に説明したが、本発明はこれに限定されるものではなく、エアコンの室内機３１がエアコン室８の上層階部分８２及び下層階部分８１の一方に設置されていると共に、送風ファン３５〜４２がエアコン室８の上層階部分８２及び下層階部分８１の他方に設置されているものであればよい。すなわち、本発明は、エアコンの室内機３１がエアコン室８の下層階部分８１に設置されていると共に、送風ファン３５〜４２がエアコン室８の上層階部分８２に設置されているものであってもよい。
【００８７】
あるいは、上記第２実施形態において、加湿器１０１がエアコン室８の下層階部分８１に設置されている場合を例に説明したが、本発明はこれに限定されるものではなく、加湿器１０１がエアコン室８の上層階部分８２に設置されているものであってもよい。
【符号の説明】
【００８８】
１，１００  木造家屋（建物）
２  ＬＤＫ（リビング−ダイニング−キッチン）（第２室）
３  玄関
４  廊下
５  トイレ
６  洗面所（第２室）
７  バスルーム
８  エアコン室（第１室）
８１  下層階部分（下層第１室）
８２  上層階部分（上層第１室）
９，１０，１１  洋室（第２室）
９ａ，１０ａ，１１ａ  窓
１２  納戸
１３  廊下
１４  ウォークインクローゼット
１５  クローゼット
１６  ウォークインクローゼット
１７  バルコニー
１８  階段
１９  床下空間（床下）
２０  階間空間（床下）
２１，２２  扉
２３，２４，２５  通気口（第１通気手段）
２６  通気口
２７，２８，２９  扉
３０  通気口（第１通気手段）
３１  エアコンの室内機
３２  扉
３３  通気口（第２通気手段）
３４  換気口
３５，３６，３７，３８，３９，４０，４１，４２  送風ファン（吸気手段）
４３，４４，４５，４６，４７，４８，４９，５０  ダクト
５１，５２  扉
５３  通気口（第１通気手段）
５４，５５  扉
５６  通気口（第１通気手段）
５７，５８，５９  扉
６０  通気口（第１通気手段）
６１  扉
６２  通気口
６３  換気口
６４  天吊ボルト
６５  全熱交換器（換気用取込手段、換気用排気手段）
６６，６７，６８，６９  ダクト
７０  通気口
７１  エアコンの室外機
１０１  加湿器
【図１】
2017211175.tif 000003
【図２】
2017211175.tif 000004
【図３】
2017211175.tif 000005
【図４】
2017211175.tif 000006
【図５】
2017211175.tif 000007
【図６】
2017211175.tif 000008
【図７】
2017211175.tif 000009
【図８】
2017211175.tif 000010